(57)【特許請求の範囲】
【請求項１】
タッチ操作可能な第１の表示パネルに対してレシート発行用のプリンタユニットが正面から観て横方向に隣接して設けられている電子レジスタであって、
前記プリンタユニットは、レシート用紙を収納するための収納部と、前記収納部を開閉するための開閉蓋と、を備え、
前記開閉蓋は、前記第１の表示パネルと隣接する側とは反対側の端部に回転軸が前記横方向に直交する方向となるように設けられることで、前記横方向に開閉するように取り付けられており、
前記横方向が前記第１の表示パネルにおける長手方向とされている、
ことを特徴とする電子レジスタ。
【請求項２】
前記開閉蓋は、前記横方向の長さが、前記回転軸に沿う方向の長さよりも短く構成されており、
前記第１の表示パネルは、前記横方向の長さが、前記回転軸に沿う方向の長さよりも長く構成されている、
ことを特徴とする請求項１に記載の電子レジスタ。
【請求項３】
前記第１の表示パネル及び前記開閉蓋は、当該第１の表示パネルのフレーム部上面と当該開閉蓋上面とが同一平面となり且つ前記回転軸に沿う方向へ傾斜するように設けられている、
ことを特徴とする請求項１または２に記載の電子レジスタ。
【請求項４】
前記プリンタユニットに対し、前記回転軸に沿う方向であって前記第１の表示パネルのフレーム部上面と前記開閉蓋上面とが傾斜する方向とは反対の方向に隣接するように、第２の表示パネルが設けられている、
ことを特徴とする請求項３に記載の電子レジスタ。
【請求項５】
前記第２の表示パネルは、表示面が前記回転軸に沿う方向へ向くように設けられている、
ことを特徴とする請求項４に記載の電子レジスタ。
【発明の詳細な説明】
【技術分野】
【０００１】
この発明は、電子レジスタに関する。
【背景技術】
【０００２】
例えば、化粧用コンパクトケースの蓋開閉装置においては、特許文献１に記載されているように、ケースの背面に設けられた切欠き部内にヒンジ部が設けられ、ケースを覆う蓋体にアーム部が設けられ、このアーム部がケースのヒンジ部に回転可能に取り付けられ、この状態でヒンジを中心にアーム部が回転して、蓋体がケースを開閉自在に覆うように構成されたものが知られている。
【先行技術文献】
【特許文献】
【０００３】
【特許文献１】特開２００９−２４７６１８号公報
【発明の概要】
【発明が解決しようとする課題】
【０００４】
しかしながら、このような蓋開閉装置では、ケースの背面に切欠き部を設ける必要があるため、ケースが制約を受けるという問題があるほか、蓋体に設けられたアーム部がケースの切欠き部内に配置されていることにより、蓋体を閉じてケースを覆った際に、アーム部が外部に露出するため、外観が損なわれ、デザイン的に好ましくないという問題がある。
【０００５】
この発明が解決しようとする課題は、所定の収納部を開閉する場合においてもデザイン的に好ましい電子レジスタを提供することである。
【課題を解決するための手段】
【０００６】
この発明に係る電子レジスタは、タッチ操作可能な第１の表示パネルに対してレシート発行用のプリンタユニットが正面から観て横方向に隣接して設けられている電子レジスタであって、前記プリンタユニットは、レシート用紙を収納するための収納部と、前記収納部を開閉するための開閉蓋と、を備え、前記開閉蓋は、前記第１の表示パネルと隣接する側とは反対側の端部に回転軸が前記横方向に直交する方向となるように設けられることで、前記横方向に開閉するように取り付けられており、前記横方向が前記第１の表示パネルにおける長手方向とされている、ことを特徴とする。
【発明の効果】
【０００７】
この発明によれば、所定の収納部を開閉する場合においてもデザイン的に好ましい電子レジスタを提供することができる。
【図面の簡単な説明】
【０００８】
【図１】この発明を電子レジスタに適用した一実施形態を示した斜視図である。
【図２】図１に示された電子レジスタのＡ−Ａ矢視における要部を示した拡大断面図である。
【図３】図２に示された電子レジスタのプリンタユニットにおいて、プリンタカバーを開いた状態を示した要部の拡大断面図である。
【図４】図３に示された電子レジスタのプリンタユニットを示した要部の拡大平面図である。
【図５】図１に示された電子レジスタのプリンタカバーを示した拡大斜視図である。
【図６】図５に示されたプリンタカバーを上下反転させて示した拡大斜視図である。
【発明を実施するための形態】
【０００９】
以下、図１〜図６を参照して、この発明を電子レジスタに適用した一実施形態について説明する。
この電子レジスタは、図１に示すように、機器ケース１を備えている。この機器ケース１には、入力表示ユニット２、プリンタユニット３、および補助表示器４が搭載されている。
【００１０】
入力表示ユニット２は、図１に示すように、ユニットケース５に入力表示パネル６を設けたものであり、顧客が購入する商品の情報をオペレータが入力表示パネル６のタッチ操作によって入力するように構成されている。この場合、入力表示パネル６は、図示しないが、表示パネルの上面に透明なタッチパネルを配置した構成になっている。
【００１１】
この入力表示パネル６は、図１において、オペレータが表示パネルに表示された情報を見ながら、タッチパネルをタッチ操作して、顧客が購入する商品の情報を入力すると共に、その入力された情報が表示パネルに表示されるように構成されている。ユニットケース５は、機器ケース１上に、その一部分（図１では左側の一部分）を除いて、前下がりに傾斜した状態で配置されている。
【００１２】
この場合、ユニットケース５の下面には、半円筒状に突出する回転部（図示せず）が設けられており、機器ケース１上には、ユニットケース５の回転部が回転可能に配置される半円筒状に窪んだ支持部（図示せず）が設けられている。これにより、ユニットケース５は、その下面の半円筒状の回転部が機器ケース１上の半円筒状の支持部内で回転移動することにより、後部（図１では上辺側）が競り上がって傾斜するように構成されている。
【００１３】
補助表示器４は、図１に示すように、表示ケース７に情報を表示する表示部（図示せず）を設けたものであり、表示ケース７が機器ケース１の背面に設けられた表示収納部８内に出没可能に配置されている。すなわち、この補助表示器４は、表示ケース７を機器ケース１の表示収納部８内から引き上げて機器ケース１の上方に配置させ、この状態で表示ケース７をほぼ水平方向に回転させることにより、表示部に表示された情報が顧客から見やすい方向を向くように構成されている。
【００１４】
一方、プリンタユニット３は、図１〜図４に示すように、プリンタ装置であり、機器ケース１上に開閉可能に配置されたプリンタカバー１０と、機器ケース１の内部に設けられた記録紙収納部１１と、機器ケース１内における記録紙収納部１１の近傍に配置されたプリンタ部１２とを備え、機器ケース１における入力表示ユニット２の左隣に配置されている。
【００１５】
プリンタカバー１０は、図１〜図４に示すように、平板部１０ａの内面における周縁部に枠状部１０ｂを設けたほぼ箱状に形成され、入力表示ユニット２の上面とほぼ同じ高さで、且つ前下がりに傾斜した状態で、後述する蓋開閉装置９によって機器ケース１上にその左側つまり入力表示ユニット２と反対側に向けて開閉可能に取り付けられ、機器ケース１内の記録紙収納部１１を開閉可能に覆うように構成されている。
【００１６】
記録紙収納部１１は、図２〜図４に示すように、ロール状に巻回された記録紙（図示せず）を収納するものであり、機器ケース１の後部側（図４では上辺側）から前部側（図４では下辺側）に向けてほぼ半円筒形の凹部状に形成されている。この場合、記録紙収納部１１は、図４に示すように、半円筒形の底部に複数のローラ１１ａが前後方向に沿って所定間隔で配列され、これら複数のローラ１１ａでロール状に巻回された記録紙を回転可能に保持するように構成されている。
【００１７】
プリンタ部１２は、図２〜図４に示すように、印字ヘッド部１２ａとプラテン部１２ｂとを備え、機器ケース１内における記録紙収納部１１の前側部（図４では下辺部側）に配置されている。すなわち、印字ヘッド部１２ａは、記録紙収納部１１の前側部における外側上部に配置されている。プラテン部１２ｂは、記録紙収納部１１の前側部おける内側上部に印字ヘッド部１２ａと対応して配置されるように構成されている。
【００１８】
これにより、プリンタ部１２は、図２〜図４に示すように、印字ヘッド部１２ａとプラテン部１２ｂとの間に、記録紙収納部１１内に収納されたロール状に巻回された記録紙（図示せず）の先端部が送り込まれ、この送り込まれた記録紙に印字ヘッド部１２ａが印刷情報を印刷し、この印刷された記録紙をプリンタカバー１０の記録紙排出口１３に向けて送り出すように構成されている。
【００１９】
この場合、プリンタカバー１０の記録紙排出口１３は、図１および図５に示すように、プリンタカバー１０が機器ケース１上に配置されて、記録紙収納部１１を覆って閉じた際に、印字ヘッド部１２ａとプラテン部１２ｂとの間に対応する状態で、プリンタカバー１０の前部側にその前後方向と直交する方向に細長い長方形状に形成されている。
【００２０】
ところで、蓋開閉装置９は、図２〜図４に示すように、機器ケース１内に設けられた支持部１４と、この支持部１４に回転自在に支持されてプリンタカバー１０を開閉させる回転連結部１５と、を備えている。支持部１４は、機器ケース１内の左側の側部１ａ、つまり入力表示ユニット２と反対側の側部１ａにおける前後部に位置して設けられている。この支持部は、丸棒状の軸部であり、その軸部が機器ケース１の前後方向に沿って配置されている。
【００２１】
回転連結部１５は、図２〜図４に示すように、一端部がプリンタカバー１０に設けられ、他端部が支持部１４に回転自在に支持され、この状態でプリンタカバー１０が開く際に機器ケース１に対し非接触状態でプリンタカバー１０を機器ケース１の上方に押し上げながら機器ケース１の側部１ａを乗り越えさせて機器ケース１の外部側方に移動させるように構成されている。
【００２２】
すなわち、この回転連結部１５は、図２〜図６に示すように、プリンタカバー１０に設けられて機器ケース１内に向けて突出する第１アーム部１６と、一端部１７ａが機器ケース１の支持部１４に回転可能に支持され、かつ他端部１７ｂが機器ケース１内に位置する第１アーム部１６の内端部１６ａに設けられ、第１アーム部１６を押し上げながら機器ケース１の側部１ａを乗り越えさせて機器ケース１の外部側方に回転移動させる第２アーム部１７と、を備えている。
【００２３】
この場合、第１アーム部１６は、図２〜図６に示すように、入力表示ユニット２と反対側の機器ケース１の側部１ａに対応するプリンタカバー１０の側部１０ｂから離れた位置で、平板部１０ａの内面にほぼ垂直に設けられている。この第１アーム部１６は、プリンタカバー１０の内面にほぼ垂直に設けられた第１本体部１８ａと、この第１本体部１８ａの両側からプリンタカバー１０の内面に亘って設けられた一対の補強リブ１８ｂと、で形成されている。
【００２４】
第２アーム部１７は、図２〜図６に示すように、その一端部１７ａに軸受け部２０が設けられ、この軸受け部２０に機器ケース１の支持部１４が回転可能に嵌合することにより、支持部１４を中心に上下方向に回転するように構成されている。この第２アーム部１７は、図２において支持部１４から機器ケース１内で斜め下側に向けて傾斜して設けられている。また、この第２アーム部１７は、その他端部１７ｂが円弧状に湾曲して第１アーム部１６の内端部１６ａに連結された構成になっている。
【００２５】
すなわち、この第２アーム部１７は、図３に示すように、プリンタカバー１０が機器ケース１の外部側方に移動して機器ケース１内の記録紙収納部１１を開いた際に、機器ケース１内で斜め上方に向けて傾斜し、この状態で他端部１７ｂが機器ケース１の側部１ａの上方に位置して機器ケース１の外部に突出するように構成されている。
【００２６】
これにより、回転連結部１５は、図２に示すように、プリンタカバー１０が機器ケース１上に配置されて記録紙収納部１１を覆って閉じた際に、第２アーム部１７が支持部１４を中心に時計回りに回転して支持部１４から機器ケース１内で斜め下側に向けて傾斜した状態で機器ケース１内に配置され、第１アーム部１６が機器ケース１内の側面から離れた位置で、機器ケース１内にほぼ垂直な状態で配置されるように構成されている。
【００２７】
また、この回転連結部１５は、図３に示すように、プリンタカバー１０が回転して機器ケース１内の記録紙収納部１１を開いた際に、第２アーム部１７が支持部１４を中心に反時計回りに回転して支持部１４から機器ケース１内の斜め上方に向けて傾斜した状態で起立し、第１アーム部１６がほぼ水平な状態で機器ケース１の側部１ａから外部側方に突出して配置されてプリンタカバー１０を機器ケース１の外部に起立させるように構成されている。
【００２８】
一方、この蓋開閉装置９は、図２および図３に示すように、プリンタカバー１０の開閉時にプリンタカバー１０にクリック感を付与するクリック感付与部材２１を備えている。このクリック感付与部材２１は、回転連結部１５に設けられた第１突起部２２と、機器ケース１内に設けられた第２突起部２３と、を備えている。
【００２９】
第１突起部２２は、図２に示すように、回転連結部１５の第２アーム部１７の一端部１７ａから下側に向けて第１アーム部１６とほぼ平行に延出され、この延出された下端部に第１当接部２４が設けられた構成になっている。第２突起部２３は、図２および図３に示すように、機器ケース１内における前後部に位置して設けられ、第１突起部２２の第１当接部２４の移動軌跡上に突出する第２当接部２３ａが設けられた構成になっている。
【００３０】
この場合、第２突起部２３は、図２および図３に示すように、第１突起部２２の第１当接部２４の移動軌跡上に対する出没方向に弾性変形するように構成されている。この第２突起部２３の第２当接部２３ａは、第１突起部２２の第１当接部２４の移動軌跡上に向けて突出するほぼ三角形状に形成されている。また、第１突起部２２の第１当接部２４は、第２突起部２３の第２当接部２３ａに下側から当接する第１傾斜面２４ａと、第２当接部２３ａに上側から当接する第２傾斜面２４ｂと、が形成されている。
【００３１】
これにより、クリック感付与部材２１は、図２および図３に示すように、プリンタカバー１０が回転して機器ケース１の記録紙収納部１１を開く際に、第１突起部２２における第１当接部２４の第１傾斜面２４ａが第２突起部２３の第２当接部２３ａに下側から当接し、第２突起部２３を弾性変形させて第１当接部２４の第１傾斜面２４ａが第２突起部２３の第２当接部２３ａを乗り越えることにより、プリンタカバー１０にクリック感を付与するように構成されている。
【００３２】
また、このクリック感付与部材２１は、図２および図３に示すように、第１突起部２２の第１当接部２４が第２突起部２３の第２当接部２３ａを乗り越えた状態で、プリンタカバー１０が回転して機器ケース１の記録紙収納部１１を閉じる際に、第１突起部２２における第１当接部２４の第２傾斜面２４ｂが第２突起部２３の第２当接部２３ａに上側から当接して、第２突起部２３を弾性変形させて第１当接部２４の第２傾斜面２４ｂが第２突起部２３の第２当接部２３ａを乗り越えることにより、プリンタカバー１０にクリック感を付与するように構成されている。
【００３３】
次に、この電子レジスタの作用について説明する。
この電子レジスタを使用する際には、まず、機器ケース１に対する入力表示ユニット２のユニットケース５の傾きを調整すると共に、補助表示器４の高さおよび向きを調整する。
【００３４】
すなわち、ユニットケース５の傾きを調整する場合には、ユニットケース５の下面の半円筒状の回転部を機器ケース１上の半円筒状の支持部内で回転移動させて、後部（図１では上辺側）の競り上がりを調整して、入力表示ユニット２の入力表示パネル６をオペレータがタッチ操作し易い角度に傾ける。
【００３５】
また、補助表示器４の高さおよび向きを調整する場合には、補助表示器４の表示ケース７を機器ケース１の表示収納部８内から引き上げて機器ケース１の上方に配置させ、この状態で表示ケース７をほぼ水平方向に回転させる。これにより、表示部（図示せず）に表示された情報を顧客が見やすい高さでかつ顧客から見やすい方向に向ける。
【００３６】
この状態で、オペレータが入力表示ユニット２の入力表示パネル６をタッチ操作して、顧客が購入する商品の情報を入力すると、その入力された情報が入力表示ユニット２の表示パネルに表示されると共に、補助表示器４の表示部に表示される。これにより、入力表示ユニット２の表示パネルに表示された情報をオペレータが視認することができると共に、補助表示器４の表示部に表示された情報を顧客が視認することができる。
【００３７】
そして、このように表示された情報を売上データとしてプリンタユニット３で印刷してレシートを発行する際には、オペレータが入力表示ユニット２の入力表示パネル６をタッチ操作して、プリンタユニット３のプリンタ部１２を駆動させる。すると、プリンタ部１２の印字ヘッド１２ａが記録紙（図示せず）に売上データを順次印刷し、この印刷された記録紙をレシートとして発行する。
【００３８】
この場合には、予め、機器ケース１内の記録紙収納部１１にロール状に巻回された記録紙を収納する。このときには、プリンタカバー１０を開いて記録紙収納部１１を露出させる。この状態で、機器ケース１内の記録紙収納部１１にロール状に巻回された記録紙を収納し、この収納されたロール状に巻回された記録紙の先端部を引き出し、この引き出された記録紙をプリンタ部１２の印字ヘッド１２ａとプラテン１２ｂとの間に挟む。これにより、プリンタ部１２による記録紙に対する印刷情報の印刷が可能な状態になる。
【００３９】
この状態で、プリンタカバー１０を回転させて機器ケース１上に配置して閉じると、プリンタカバー１０の記録紙排出口１３がプリンタ部１２の印字ヘッド１２ａとプラテン１２ｂとの間に対応する。そして、プリンタ部１２の印字ヘッド１２ａが駆動されると、印字ヘッド１２ａが記録紙収納部１１内から引き出された記録紙（図示せず）をプラテン１２ｂに押し付けながら記録紙に印刷情報を順次印刷する。この印刷された記録紙は、プリンタカバー１０の記録紙排出口１３から機器ケース１の外部に排出される。
【００４０】
次に、蓋開閉装置９によるプリンタカバー１０の開閉動作について説明する。
まず、プリンタカバー１０が機器ケース１上に配置されて機器ケース１の記録紙収納部１１を覆って閉じられている場合には、回転連結部１５の第２アーム部１７が機器ケース１内の支持部１４から機器ケース１内で斜め下側に向けて傾斜した状態で機器ケース１内に配置されている。
【００４１】
このときには、回転連結部１５の第１アーム部１６が機器ケース１内の側部１ａから離れてプリンタカバー１０に対してほぼ垂直な状態で機器ケース１内に配置されている。また、このときには、クリック感付与部材２１における第１突起部２２の第１当接部２４が第２突起部２３の第２当接部２３ａから斜め下側に離れた位置に配置されている。
【００４２】
このように、プリンタカバー１０が機器ケース１の記録紙収納部１１を覆って閉じられている場合には、回転連結部１５の第１アーム部１６、回転連結部１５の第２アーム部１７、およびクリック感付与部材２１の第１突起部２２が、機器ケース１内に配置されて、プリンタカバー１０で覆い隠されている。
【００４３】
この状態で、機器ケース１内の支持部１４を中心に回転連結部１５を図２において反時計回りに回転させて、プリンタカバー１０を開く際には、回転連結部１５の反時計回り方向への回転に伴って、第２アーム部１７が第１アーム部１６を徐々に押し上げ、この第１アーム部１６によってプリンタカバー１０が機器ケース１の上方に徐々に押し上げられて機器ケース１の外部側方に向けて傾きながら移動する。
【００４４】
このときには、回転連結部１５の反時計回り方向への回転に伴って、クリック感付与部材２１の第１突起部２２が機器ケース１内の支持部１４を中心に同方向に回転移動し、この第１突起部２２の第１当接部２４が機器ケース１内の第２突起部２３の第２当接部２３ａに接近する。このときにも、回転連結部１５の第１アーム部１６、および回転連結部１５の第２アーム部１７が、機器ケース１内から外部に徐々に露出する。
【００４５】
そして、機器ケース１内の支持部１４を中心に回転連結部１５が図２において反時計回りに回転して、プリンタカバー１０が機器ケース１内の記録紙収納部１１を開いた際には、図３に示すように、回転連結部１５の第２アーム部１７が機器ケース１内の支持部１４から機器ケース１内の斜め上方に向けて傾斜した状態で起立し、第１アーム部１６が機器ケース１の側部１ａを乗り越えてほぼ水平な状態で機器ケース１の外部側方に突出して配置される。このため、プリンタカバー１０が機器ケース１の外部側方に位置した状態でほぼ垂直に起立する。
【００４６】
このときには、回転連結部１５の反時計回り方向への回転に伴って、クリック感付与部材２１の第１突起部２２が機器ケース１内の支持部１４を中心に同方向に回転移動し、この第１突起部２２における第１当接部２４の第１傾斜面２４ａが第２突起部２３の第２当接部２３ａに下側から当接する。これにより、第２突起部２３が弾性変形して、第１当接部２４の第１傾斜面２４ａが第２突起部２３の第２当接部２３ａを乗り越える。
【００４７】
このように、第１当接部２４の第１傾斜面２４ａが第２突起部２３の第２当接部２３ａを乗り越える時に、プリンタカバー１０にクリック感が付与される。この結果、プリンタカバー１０が入力表示ユニット２と反対側における機器ケース１の左側の外部に起立して、機器ケース１の記録紙収納部１１が開放される。
【００４８】
一方、プリンタカバー１０を閉じる際には、機器ケース１内の支持部１４を中心に回転連結部１５が図３において時計回りに回転し、この回転連結部１５の時計回り方向への回転に伴って、クリック感付与部材２１の第１突起部２２が機器ケース１内の支持部１４を中心に同方向に回転移動する。
【００４９】
このときには、第２突起部２３の第２当接部２３ａを乗り越えている第１突起部２２の第１当接部２４の第２傾斜面２４ｂが第２突起部２３の第２当接部２３ａに上側から当接して、第２突起部２３を弾性変形させる。これにより、第１当接部２４の第２傾斜面２４ｂが第２突起部２３の第２当接部２３ａを乗り越えて、第１突起部２２が下側に回転移動して初期位置に戻る。
【００５０】
このように、第１当接部２４の第２傾斜面２４ｂが第２突起部２３の第２当接部２３ａを乗り越えときに、プリンタカバー１０にクリック感が付与される。この結果、プリンタカバー１０が入力表示ユニット２と反対側における機器ケース１の上部に配置されて、機器ケース１の記録紙収納部１１を塞ぐ。
【００５１】
このように、この電子レジスタの蓋開閉装置９によれば、機器ケース１を開閉可能に覆うプリンタカバー１０と、機器ケース１内に設けられた支持部１４と、プリンタカバー１０に一端部が設けられて支持部１４に他端部が回転自在に支持され、この状態で支持部１４を中心に回転してプリンタカバー１０が開く際に、プリンタカバー１０を機器ケース１の上方に押し上げながら機器ケース１の側部１ａを乗り越えさせて機器ケース１の外部側方に移動させる回転連結部１５と、を備えていることにより、機器ケース１が制約を受けることがなく、デザイン的に好ましいものを提供することができる。
【００５２】
すなわち、この電子レジスタの蓋開閉装置９では、回転連結部１５によってプリンタカバー１０を機器ケース１の上方に押し上げながら機器ケース１の側部１ａを乗り越えさせて機器ケース１の外部側方に移動させることができるので、機器ケース１がプリンタカバー１０によって制約を受けることがない。
【００５３】
また、この蓋開閉装置９では、プリンタカバー１０を閉じた際に、支持部１４および回転連結部１５をプリンタカバー１０で良好に覆い隠することができる。このため、プリンタカバー１０を閉じた際に外観が損なわれることがないので、機器ケース１が制約を受けることがなく、デザイン的にも外観的にも好ましいものを提供することができる。
【００５４】
この場合、回転連結部１５は、プリンタカバー１０に設けられて機器ケース１内に向けて突出する第１アーム部１６と、一端部１７ａが支持部１４に回転可能に支持され、かつ他端部１７ｂが機器ケース１内に位置する第１アーム部１６の内端部に設けられて、第１アーム部１６を押し上げながら機器ケース１の側部１ａを乗り越えさせて機器ケース１の外部側方に移動させる第２アーム部１７と、を備えていることにより、第２アーム部１７が支持部１４を中心に回転して第１アーム部１６を機器ケース１の外部に回転移動させることができるので、機器ケース１が制約を受けないようにすることができる。
【００５５】
すなわち、この蓋開閉装置９の回転連結部１５では、プリンタカバー１０が機器ケース１を覆って閉じた際に、第２アーム部１７が支持部１４から機器ケース１内の斜め下側に向けて傾斜した状態で機器ケース１内に配置され、第１アーム部１６が機器ケース１内の側部１ａから離れた位置で、機器ケース１内にほぼ垂直な状態で配置されることにより、プリンタカバー１０を開く際に、機器ケース１内の斜め下側に向けて傾斜した状態の第２アーム部１７を上方に向けて回転移動させることができ、これにより第１アーム部１６を機器ケース１の上方に押し上げることができる。
【００５６】
また、この蓋開閉装置９の回転連結部１５では、プリンタカバー１０が機器ケース１を開いた際に、第２アーム部１７が支持部１４から機器ケース１内の斜め上方に向けて傾斜した状態で起立し、第１アーム部１６がほぼ水平な状態で機器ケース１の外部側方に突出して配置されてプリンタカバー１０を機器ケース１の外部に起立させることにより、プリンタカバー１０を開く際に、第２アーム部１７が第１アーム部１６を機器ケース１の上方に押し上げながら機器ケース１の側部１ａを乗り越えさせて、第１アーム部１６をほぼ水平な状態で機器ケース１の外部側方に突出させることができ、これによりプリンタカバー１０を機器ケース１の外部に起立させることができる。
【００５７】
また、この蓋開閉装置９では、プリンタカバー１０の開閉時にプリンタカバー１０にクリック感を付与するクリック感付与部材２１を備えていることにより、プリンタカバー１０の開閉時にプリンタカバー１０にクリック感を付与することができるので、プリンタカバー１０の開閉操作を良好に行うことができる。
【００５８】
すなわち、このクリック感付与部材２１は、回転連結部１５に設けられた第１突起部２２と、機器ケース１内に設けられた第２突起部２３と、を備え、プリンタカバー１０が開閉する際に、第１突起部２２が第２突起部２３に当接して乗り越えることにより、プリンタカバー１０を開閉する際に、プリンタカバー１０にクリック感を確実にかつ良好に付与することができる。
【００５９】
この場合、第１突起部２２は、その先端部に第１当接部２４が設けられ、第２突起部２３は、第１突起部２２の第１当接部２４の移動軌跡上に対する出没方向に弾性変形可能に設けられ、かつ第１突起部２２の第１当接部２４が当接する第２当接部２３ａを備えていることにより、プリンタカバー１０が開閉する際に、第１突起部２２の第１当接部２４を第２突起部２３の第２当接部２３ａに当接させて第２突起部２３を弾性変形させることができ、これにより第１突起部２２の第１当接部２４が第２突起部２３の第２当接部２３ａを良好に乗り越えることができるので、プリンタカバー１０にクリック感を確実にかつ良好に付与することができる。
【００６０】
すなわち、クリック感付与部材２１は、プリンタカバー１０が機器ケース１の記録紙収納部１１を開く際に、第１突起部２２における第１当接部２４の第１傾斜面２４ａが第２突起部２３の第２当接部２３ａに下側から当接して、第２突起部２３を弾性変形させることができ、これにより第１当接部２４の第１傾斜面２４ａが第２突起部２３の第２当接部２３ａを乗り越えることができるので、プリンタカバー１０にクリック感を付与することができる。
【００６１】
また、このクリック感付与部材２１は、第１突起部２２の第１当接部２４が第２突起部２３の第２当接部２３ａを乗り越えた状態で、プリンタカバー１０が機器ケース１の記録紙収納部１１を閉じる際に、第１突起部２２における第１当接部２４の第２傾斜面２４ｂが第２突起部２３の第２当接部２３ａに上側から当接して、第２突起部２３を弾性変形させることができ、これにより第１当接部２４の第２傾斜面２４ｂが第２突起部２３の第２当接部２３ａを乗り越えることができるので、プリンタカバー１０にクリック感を付与することができる。
【００６２】
なお、上述した実施形態では、クリック感付与部材２１の第２突起部２３が弾性変形するように構成した場合について述べたが、この発明は、これに限らず、第１突起部２２が弾性変形するように構成しても良く、また、第１突起部２２と第２突起部２３との両方が弾性変形するように構成しても良い。
【００６３】
また、上述した実施形態では、電子レジスタに適用した場合について述べたが、この発明は、これに限らず、例えばファックス、音響機器などの各種の電子機器に広く適用することができる。
【００６４】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００６５】
（付記）
請求項１に記載の発明は、ケースを開閉可能に覆う蓋体と、前記ケース内に設けられた支持部と、前記蓋体に一端部が設けられて前記支持部に他端部が回転自在に支持され、この状態で前記支持部を中心に回転して前記蓋体が開く際に、前記蓋体を前記ケースの上方に押し上げながら前記ケースの側部を乗り越えさせて前記ケースの外部側方に移動させる回転連結部と、を備えていることを特徴とする蓋開閉装置である。
【００６６】
請求項２に記載の発明は、請求項１に記載の蓋開閉装置において、前記回転連結部は、前記蓋体に設けられて前記ケース内に向けて突出する第１アーム部と、一端部が前記支持部に回転可能に支持され、かつ他端部が前記ケース内に位置する前記第１アーム部の内端部に設けられて、前記第１アーム部を押し上げながら前記ケースの側部を乗り越えさせて前記ケースの外部側方に回転移動させる第２アーム部と、を備えていることを特徴とする蓋開閉装置である。
【００６７】
請求項３に記載の発明は、請求項２に記載の蓋開閉装置において、前記回転連結部は、前記蓋体が前記ケースを覆って閉じた際に、前記第２アーム部が前記支持部から前記ケース内の斜め下側に向けて傾斜した状態で前記ケース内に配置され、前記第１アーム部が前記ケース内の側面から離れて前記ケース内にほぼ垂直な状態で配置されることを特徴とする蓋開閉装置である。
【００６８】
請求項４に記載の発明は、請求項２または請求項３に記載の蓋開閉装置において、前記回転連結部は、前記蓋体が前記ケースを開いた際に、前記第２アーム部が前記支持部から前記ケース内の斜め上方に向けて傾斜した状態で起立し、前記第１アーム部がほぼ水平な状態で前記ケースの外部側方に突出して配置されて前記蓋体を前記ケースの外部に起立させることを特徴とする蓋開閉装置である。
【００６９】
請求項５に記載の発明は、請求項１〜請求項４のいずれかに記載の蓋開閉装置において、前記蓋体の開閉時に前記蓋体にクリック感を付与するクリック感付与部材を備えていることを特徴とする蓋開閉装置である。
【００７０】
請求項６に記載の発明は、請求項５に記載の蓋開閉装置において、前記クリック感付与部材は、前記回転連結部に設けられた第１突起部と、前記ケース内に設けられた第２突起部と、を備え、前記蓋体が開閉する際に、前記第１突起部が前記第２突起部に当接して乗り越えることを特徴とする蓋開閉装置である。
【００７１】
請求項７に記載の発明は、請求項６に記載の蓋開閉装置において、前記クリック感付与部材の前記第１突起部と前記第２突起部とのうち、少なくとも一方は、前記第１突起部が前記第２突起部に当接した際に、弾性変形することを特徴とする蓋開閉装置である。
【００７２】
請求項８に記載の発明は、請求項１〜請求項７のいずれかに記載された蓋開閉装置を備えていることを特徴とする電子機器である。
【符号の説明】
【００７３】
１  機器ケース
１ａ  側部
２  入力表示ユニット
３  プリンタユニット
９  蓋開閉装置
１０  プリンタカバー
１１  記録紙収納部
１２  プリンタ部
１４  支持部
１５  回転連結部
１６  第１アーム部
１６ａ  内端部
１７  第２アーム部
１７ａ  一端部
１７ｂ  他端部
２０  軸受け部
２１  クリック感付与部材
２２  第１突起部
２３  第２突起部
２３ａ  第２当接部
２４  第１当接部
【図１】
0006780690.tif 000002
【図２】
0006780690.tif 000003
【図３】
0006780690.tif 000004
【図４】
0006780690.tif 000005
【図５】
0006780690.tif 000006
【図６】
0006780690.tif 000007